(57)【要約】【課題】音声による操作が可能なコンテンツ操作表示装置を提供する。【解決手段】コンテンツ取得解析部１０３　は、ＨＴＭＬファイルからアンカーを示す文字列およびそのリンク先情報を抽出し、認識対象データリスト管理部１０４　へ送信する。音声認識処理部１０９　はユーザが発声した音声信号を入力し、その音声信号から所定の認識文字列データを認識対象データリスト管理部１０４　に登録されている認識データリストより検出し、それに対応するリンク先文字列とともに、コンテンツ操作部１１０　へ送信する。コンテンツ操作部１１０　はリンク先文字列で指定されたコンテンツの取得、解析、表示命令をコンテンツ取得解析部１０３　に対して送信する。この動作を繰り返すことにより、音声信号によりブラウザ機能を操作することが可能となる。【選択図】　図１
2004070731.tif 000002
【特許請求の範囲】
【請求項１】
コンテンツ操作部からの命令に従ってファイルの取得および内容解析を行い、前記ファイル内のデータから特定のデータを認識対象データとして取り出すコンテンツ取得解析部と、前記コンテンツ取得解析部によって解析された結果と前記コンテンツ操作部による操作状況とを表示するコンテンツ表示部と、前記コンテンツ取得解析部で取り出された前記認識対象データリストを管理する認識対象データリスト管理部と、外部から入力された音声信号を分析し、前記認識対象データリスト管理部内に登録されている認識対象データリストの中から所定の認識対象データを選択する音声認識処理部と、外部からの操作情報および前記音声認識処理部からの認識結果に基づき前記コンテンツ取得解析部の制御を行う前記コンテンツ操作部とを備えたコンテンツ操作表示装置。
【請求項２】
任意のコマンドデータを前記認識対象データリスト管理部に登録し、前記音声入力部に入力される、前記コマンドに対応する音声信号により装置の動作を制御することを特徴とする請求項１記載のコンテンツ操作表示装置。
【請求項３】
前記コンテンツ取得解析部の解析結果を音声信号として出力する音声出力部を備えたことを特徴とする請求項１記載のコンテンツ操作表示装置。
【請求項４】
前記コンテンツ取得解析部は、前記ファイルから、アンカーを示す文字列、およびリンク先情報を抽出し、前記認識データリストを作成することを特徴とする請求項１記載のコンテンツ操作表示装置。
【発明の詳細な説明】
【０００１】
【発明の属する技術分野】
本発明は、ＭＬ（Ｍａｒｋｕｐ　Ｌａｎｇｕａｇｅ　）で記述されたファイルを表示および操作するコンテンツ操作表示装置に関し、特に音声入力により操作することのできるコンテンツ操作表示装置に関する。
【０００２】
【従来の技術】
図７は、従来のコンテンツ操作表示装置であるＨＴＭＬ（Ｈｙｐｅｒ　Ｔｅｘｔ　Ｍａｒｋｕｐ　Ｌａｎｇｕａｇｅ）ブラウザ装置の構成を示すものである。なお、このＨＴＭＬブラウザ装置はパーソナルコンピュータや携帯電話機などに設けられる。
【０００３】
図７に示すように、従来のＨＴＭＬブラウザ装置は、コンテンツ操作部７０１　と、コンテンツ取得解析部７０２　と、コンテンツ表示部７０３　とから構成されている。ここで、コンテンツ操作部７０１　およびコンテンツ取得解析部７０２　はソフトウェアからなり、コンテンツ表示部７０３　はソフトウェアおよびハードウェアからなる。コンテンツ操作部７０１　は、図示されていない外部の入力手段（マウスやキーボードなど）からユーザにより入力された操作情報に基づき、コンテンツ取得解析部７０２　の動作を制御する。コンテンツ取得解析部７０２　は、コンテンツ操作部７０１　からの命令に従って、ファイルの取得および内容解析を行う。コンテンツ表示部７０３　は、コンテンツ取得解析部７０２　によって解析された結果およびコンテンツ操作部７０１　による操作状況を表示する。
【０００４】
図８は、コンテンツ表示部７０３　の画面表示例を示すものである。図８に示すように、コンテンツ表示部７０３　の映像は表示手段であるモニタ８０１　に表示される。ここでは、コンテンツ操作部７０１　によりコンテンツの操作を行うためのカーソル８０２　と、コンテンツ取得解析部７０２　で解析およびレイアウト処理がなされた文字列８０３　が表示されている。
【０００５】
以上のように構成された従来のＨＴＭＬブラウザ装置について、以下にその動作を説明する。
【０００６】
コンテンツ操作部７０１　は、外部の入力手段からユーザにより入力された操作情報をコンテンツ表示部７０３　へ送出するとともに、その操作情報に従ってコンテンツ取得解析部７０２　を制御する。
【０００７】
コンテンツ取得解析部７０２　は、コンテンツ操作部７０１　により入力された操作情報で指定されたファイルを取得し、取得したファイルが公知のＨＴＭＬファイルである場合、ＨＴＭＬ仕様に従って言語解析およびレイアウト処理を行い、コンテンツ表示部７０３　に表示する。
【０００８】
コンテンツ表示部７０３　は前記操作情報を、カーソルとしてコンテンツ取得解析部７０２　の解析結果とともに表示する。ここで、カーソルにより選択された位置に、ＨＴＭＬのリンクが存在すること示す情報でるアンカータグ（以下、Ａタグという）およびｈｒｅｆ（ｈｙｐｅｒ−ｔｅｘｔ　ｒｅｆｅｒｅｎｃｅ）属性があり、そのＡタグとｈｒｅｆとの間にリンク先を示す情報であるＵＲＬ（Ｕｎｉｆｏｒｍ　Ｒｅｓｏｕｒｃｅ　Ｌｏｃａｔｏｒ）が記述されている場合、コンテンツ取得解析部７０２　により、ＵＲＬで指定されたファイルの取得、解析、およびレイアウト処理を行い、コンテンツ表示部７０３　により表示する。
【０００９】
【発明が解決しようとする課題】
しかしながら、上記従来の構成では、マウスやキーボードを用いて操作情報を入力するため、カーナビゲーション装置などの車載端末にてブラウザ機能を実現する場合、ユーザは自動車の運転操作と車載端末の操作を行う必要があり、安全性を損なうという課題を有していた。
【００１０】
本発明は、上記課題を解決するためになされたもので、車載端末に適用した場合の安全性を向上させることができるコンテンツ操作表示装置を提供することを目的とする。
【００１１】
【課題を解決するための手段】
本発明のコンテンツ操作表示装置は、コンテンツ操作部からの命令に従ってファイルの取得および内容解析を行い、前記ファイル内のデータから特定のデータを認識対象データとして取り出すコンテンツ取得解析部と、前記コンテンツ取得解析部によって解析された結果と前記コンテンツ操作部による操作状況とを表示するコンテンツ表示部と、前記コンテンツ取得解析部で取り出された前記認識対象データリストを管理する認識対象データリスト管理部と、外部から入力された音声信号を分析し、前記認識対象データリスト管理部内に登録されている認識対象データリストの中から所定の認識対象データを選択する音声認識処理部と、外部からの操作情報および前記音声認識処理部からの認識結果に基づき前記コンテンツ取得解析部の制御を行う前記コンテンツ操作部とを備えている。この構成により、外部から音声を入力することでコンテンツ操作表示装置の操作が可能となる。
【００１２】
【発明の実施の形態】
以下に示す実施の形態は本発明のコンテンツ操作表示装置を公知のカーナビゲーションシステムに適用し、携帯電話機を介してプロバイダと接続することによりインターネットにアクセスし、情報配信サービスを受ける場合の例である。
【００１３】
（第１の実施の形態）
図１は本発明の第１の実施の形態のコンテンツ操作表示装置の概略構成を説明するためのブロック図である。
【００１４】
このコンテンツ操作表示装置は、プロバイダと回線を接続しデータ通信を行うための携帯電話機１０１　と、携帯電話機１０１　の制御を行う通信インタフェース部１０２　と、通信インタフェース部１０２　を介してファイルを取得し、その内容解析および前記ファイル内のデータからユーザにより指定された種別のデータを取り出すコンテンツ取得解析部１０３　、コンテンツ取得解析部１０３　から指定された認識対象データリストを管理する認識対象データリスト管理部１０４　と、コンテンツ取得解析部１０３　の解析結果および装置の動作状況を表示するコンテンツ表示部１０５　と、外部から入力された音声信号を分析し、認識対象データリスト管理部１０４　に登録されている認識対象データリストの中から所定の認識対象データを選択する音声認識処理部１０９　と、リモコンやジョイスティックなどによる外部からの操作情報と、音声認識処理部１０９　からの認識結果とをもとに、コンテンツ取得解析部１０３　および音声認識処理部１０９　の動作を制御するコンテンツ操作部１１０　とからなる。音声認識処理部１０９　は、外部からの音声信号を装置内に取り込む音声入力部１０６　と、音声入力部１０６　からの入力された音声信号の音響分析を行う音響分析部１０７　と、音響分析部１０７　で分析された音響信号をもとに、認識対象データリスト管理部１０４　の保持する認識データリストより所定のデータを認識結果として出力する音声認識エンジン部１０８　とからなる。
【００１５】
ここで、コンテンツ操作表示装置は、携帯電話機１０１　および通信インタフェース部１０２　を除く部分である。そして、コンテンツ操作表示装置の内、認識データリスト管理部１０４　、コンテンツ表示部１０５　、および音声入力部１０６　はハードウェアおよびソフトウェアからなり、それ以外の部分はソフトウェアからなる。また、コンテンツ取得解析部１０３　が取り出す「ユーザにより指定された種別のデータ」とは、図８におけるカーソル８０２　より指定される文字列８０３　データのような、ユーザが操作情報により指定される情報である。
【００１６】
次に、以上のように構成されたコンテンツ操作表示装置において、コンテンツ取得解析部１０３　に対して、図２に示すＨＴＭＬファイルが入力された場合の動作を図２〜図４を用いて説明する。ここで、図３はコンテンツ取得解析部１０３　において図２に示すＨＴＭＬファイルを解析した場合の、コンテンツ表示部１０５　の表示例を示し、図４は認識対象データリスト管理部１０４　へ転送される認識データリストを示す。
【００１７】
コンテンツ取得解析部１０３　は、コンテンツ表示命令をコンテンツ表示部１０５　に対して送信するとともに、ＨＴＭＬのＡタグ（〈／Ａ〉）およびｈｒｅｆを示す文字列、ならびにそのリンク先情報（ＵＲＬ）を抽出し、認識データリストを生成する。図２においては、Ａタグ２０１　とｈｒｅｆ２０３　に挟まれている”ｂｒｏｗｓｅｒ／ｔｅｓｔ１／ｉｎｄｅｘ．ｈｔｍ”　が試験ページ１のリンク先であり、Ａタグ２０２　とｈｒｅｆ２０４　に挟まれている”ｂｒｏｗｓｅｒ／ｔｅｓｔ２／ｉｎｄｅｘ．ｈｔｍ”　が試験ページ２のリンク先である。これらの認識データリストは認識対象データリスト管理部１０４　へ転送される。図４にこの場合の認識データリストを示す。図４に示すように、認識データリストは、認識対象となる単語文字列データ４０１　と、単語文字列データ４０１　に対応するリンク先を示すリンク先文字列リスト４０２　とから構成されている。
【００１８】
コンテンツ操作部１１０　は、音声認識処理部１０９　に対して、音声認識開始命令を送信する。また、ユーザに対して音声入力可能であることを通知するために、コンテンツ表示部１０５　に対してカーソル種別を変更するよう、制御命令を送信する。これにより、図３に示すように、コンテンツ表示部１０５　の画面にはマイクロホンの形のカーソル３０３　が表示される。
【００１９】
音声認識開始命令を受けた音声認識処理部１０９　は、ユーザからの音声信号が音声入力部１０６　に入力されるのを待つ。ここで、一定時間音声信号が入力されなかった場合には、音声認識動作を中止する。一定時間内に音声入力があった場合、入力された音声信号を音響分析部１０７　で分析する。そして、音声認識エンジン部１０８　は、認識対象データリスト管理部１０４　に登録されている認識対象データリストの中から、分析された音声に所定の認識対象データを選択する。すなわち、分析された音声と一致の程度が所定のしきい値を越える文字列データの内、一致の程度が最も高い文字列データを選択する。一致の程度が所定のしきい値を越える文字列データが存在しない場合には警告メッセージ等を表示する。このようにして、音声認識処理部１０９　は所定の認識文字列データが選択されたことを検出し、それに対応するリンク先文字列とともに、コンテンツ操作部１１０　へ送信し、音声認識動作を終了する。
【００２０】
コンテンツ操作部１１０　は、音声認識処理部１０９　からの得た認識文字列データおよびリンク先文字列データより、コンテンツ表示部１０５　に対して、認識結果のアンカーが表示されている部分にカーソル３０３　を移動し、かつコンテンツ取得中であることをユーザに通知するためにカーソル種別を変更表示する制御命令を送信するとともに、認識結果であるリンク先文字列データで示されたファイルの取得解析命令を、コンテンツ取得解析部１０３　に対して、送信する。
【００２１】
コンテンツ取得解析部１０３　は、コンテンツ操作部１１０　から指定されたファイルを通信インタフェース部１０２　と携帯電話機１０１　とを介して取得し解析する。
【００２２】
上記の動作を繰り返すことにより、コンテンツの取得および表示を行うことが可能となる。
【００２３】
ここで、認識対象データリスト管理部１０４　に転送する情報にブラウザ操作コマンド名称およびコマンドを追加することにより、音声入力部１０６　に入力される、前記コマンドに対応する音声信号により装置の動作を制御することもできる。
【００２４】
（第２の実施の形態）
図５は本発明の第２の実施の形態のコンテンツ操作表示装置の概略構成を説明するためのブロック図である。この図において、図１と同一の構成要素または図１と対応する構成要素には、図１で使用した符号を付した。
【００２５】
本発明の第２の実施の形態のコンテンツ操作表示装置は、第１の実施の形態のコンテンツ操作表示装置に対して音声出力部１１１　を付加したものである。音声出力部１１１　は、コンテンツ取得解析部１０３　から出力されたテキストデータを入力し、音声信号に変換して出力する。その他の構成要素の構成および機能は第１の実施の形態における同名の構成要素と同様である。
【００２６】
以上のように構成されたコンテンツ操作表示装置の動作について説明する。ここで、第１の実施の形態と同様に、コンテンツ取得解析部１０３　に対して、図２に示すＨＴＭＬファイルが入力された場合の動作について説明する。また、図６は、コンテンツ取得解析部１０３　において図２に示すＨＴＭＬファイルを解析した場合の、コンテンツ表示部１０５　の表示例である。なお、音声認識による操作は第１の実施の形態と同様のため、以降、音声出力動作についてのみ説明する。
【００２７】
コンテンツ取得解析部１０３　は、コンテンツ表示命令をコンテンツ表示部１０５　に対して送信するとともに、ＨＴＭＬファイルからタグ情報およびスクリプト情報を取り除いたテキストデータリスト６０１　（図６）を生成し、音声出力部１１１　へ送信する。音声出力部１１１　は、コンテンツ取得解析部１０３　より送信されたテキストデータを音声信号に変換し、読み上げ処理を行う。
【００２８】
上記動作をコンテンツ取得毎に行うことにより、ユーザはコンテンツの取得とその内容の確認とを音声により行うことが可能となる。
【００２９】
なお、以上説明した第１の実施の形態および第２の実施の形態では、通信インタフェース部１０２　および携帯電話機１０１　を介してコンテンツを取得しているが、車載端末内に保持されているコンテンツについても同様な操作が行える。つまり、本発明においては、コンテンツの格納先は問わない。
【００３０】
【発明の効果】
以上のように本発明は、音声による操作を可能とすることで車載装置に適用した場合の安全性を向上させることができるという優れた効果を有するコンテンツ操作表示装置を提供することができる。
【図面の簡単な説明】
【図１】本発明の第１の実施の形態のコンテンツ操作表示装置の概略構成を説明するためのブロック図、
【図２】本発明の第１の実施の形態において入力されるファイルの例を示す図、
【図３】本発明の第１の実施の形態におけるコンテンツ表示部の表示例を示す図、
【図４】本発明の第１の実施の形態において認識対象データリスト管理部へ転送される認識データリストを示す図、
【図５】本発明の第２の実施の形態のコンテンツ操作表示装置の概略構成を説明するためのブロック図、
【図６】本発明の第２の実施の形態における音声出力用テキストデータを示す図、
【図７】従来のコンテンツ操作表示装置の構成を示すブロック図、
【図８】従来のコンテンツ操作表示装置における画面表示例を示す図である。
【符号の説明】
１０１　　携帯電話機
１０２　　通信インタフェース部
１０３　　コンテンツ取得解析部
１０４　　認識対象データリスト管理部
１０５　　コンテンツ表示部
１０６　　音声入力部
１０７　　音響分析部
１０８　　音声認識エンジン部
１０９　　音声認識処理部
１１０　　コンテンツ操作部
１１１　　音声出力部
【図１】
2004070731.tif 000003
【図２】
2004070731.tif 000004
【図３】
2004070731.tif 000005
【図４】
2004070731.tif 000006
【図５】
2004070731.tif 000007
【図６】
2004070731.tif 000008
【図７】
2004070731.tif 000009
【図８】
2004070731.tif 000010